(57)【要約】【課題】  映像音声記録装置において、バッファメモリを用いて間欠的に記録する場合、外部から装置への振動などにより記録が不可能な状態になり、バッファがオーバーフローし、記録するデータが時間的に不連続で、不完全な再生しかできないデータになることを、回避する。【解決手段】  バッファのオーバーフロー時に、ビデオオブジェクト単位でディスクへの記録を終了する。ビデオオブジェクト単位で記録するため、バッファ溢れで記録が中断したデータを再生しても、画面が乱れたり音声にノイズが混入したりすることがない。【選択図】  図１
2006221794.tif 000002
【特許請求の範囲】
【請求項１】
映像音声を入力する映像音声入力手段と、映像音声をデジタル信号に変換する変換手段と、デジタル信号を圧縮する圧縮手段と、デジタル信号を記憶する記憶手段と、演算処理を行う演算処理手段と、デジタル信号を記録媒体に記録する記録手段を備え、該映像音声入力手段から入力された映像音声を、該変換手段でデジタル信号に変換し、該圧縮手段でデジタル信号を圧縮し、圧縮されたデジタル信号を該記憶手段に蓄え、該記憶手段に蓄えたデジタル信号を、該記録手段で記録媒体に間欠的に記録する映像音声記録装置において、該映像音声入力手段から映像音声が入力され続けており、かつ該記憶手段の最大記憶容量までデジタル信号を蓄えた場合に、ビデオオブジェクト単位で記録を終了することを特徴とする映像音声記録装置。
【請求項２】
請求項１に記載の映像音声記録装置において、前記映像音声入力手段から映像音声が入力され続けており、かつ前記記憶手段の最大記憶容量までデジタル信号を蓄えた場合に、ビデオオブジェクト単位で記録を終了し、新しくビデオオブジェクトの記録を開始することを特徴とする映像音声記録装置。
【請求項３】
映像音声を入力する映像音声入力手段と、映像音声をデジタル信号に変換する変換手段と、デジタル信号を圧縮する圧縮手段と、デジタル信号を記憶する記憶手段と、演算処理を行う演算処理手段と、デジタル信号を記録媒体に記録する記録手段を備え、該映像音声入力手段から入力された映像音声を、該変換手段でデジタル信号に変換し、該圧縮手段でデジタル信号を圧縮し、圧縮されたデジタル信号を該記憶手段に蓄え、該記憶手段に蓄えたデジタル信号を、該記録手段で記録媒体に間欠的に記録する映像音声記録装置において、該記憶手段に蓄積したデジタル信号のデータ量が一定値を超えた場合に、該圧縮手段の転送レートを減少させることを特徴とする映像音声記録装置。
【請求項４】
請求項３に記載の映像音声記録装置において、該記憶手段に蓄積したデジタル信号のデータ量が一定値を超えた場合に、該圧縮手段の転送レートを段階的に減少させることを特徴とする映像音声記録装置。
【請求項５】
請求項３に記載の映像音声記録装置において、該記憶手段に蓄積したデジタル信号のデータ量が一定値を下回った場合に、該圧縮手段の転送レートを増加させることを特徴とする映像音声記録装置。
【請求項６】
請求項３に記載の映像音声記録装置において、該記憶手段に蓄積したデジタル信号のデータ量が一定値を下回った場合に、該圧縮手段の転送レートを段階的に増加させることを特徴とする映像音声記録装置。
【請求項７】
請求項３に記載の映像音声記録装置において、該記憶手段に蓄積したデジタル信号のデータ量が一定値を超えた場合に、該記憶手段に蓄積された圧縮信号を読み出し、該圧縮手段でさらに高い圧縮率で圧縮することを特徴とする映像音声記録装置。
【発明の詳細な説明】
【技術分野】
【０００１】
本発明は、映像音声のデジタル信号を記録媒体に記録する映像音声記録装置に係り、特にバッファメモリを用いて連続記録を実現する映像音声記録装置に関する。
【背景技術】
【０００２】
本発明において、ビデオオブジェクトとは、ビデオオブジェクトユニットが連なったものである。
【０００３】
また、ビデオオブジェクトユニットとは、他のビデオオブジェクトユニットから独立して再生が可能な、ＭＰＥＧストリームであり、少なくとも１枚のＩピクチャを含み、その他に複数のＰピクチャあるいはＢピクチャからなるグループオブピクチャ（ＧＯＰ）である。
【０００４】
映像音声記録装置は、マイクやＣＣＤなどから入力された映像音声をデジタル信号に変換し、さらにＭＰＥＧなどの信号圧縮をかけ、ＭＰＥＧストリームなどの圧縮信号を生成する。そして、圧縮信号を半導体メモリに蓄え、蓄えた圧縮信号を、ＤＶＤドライブなどのディスクドライブが、順次ＤＶＤ−ＲＡＭなどの記録媒体に記録する。
【０００５】
記録媒体に記録する際に、連続した圧縮信号を、記録媒体上の複数の領域に記録する場合がある。この場合、領域間をシークしては記録する動作を繰り返すことになる。すなわち、連続した圧縮信号を間欠的に記録することになる。
【０００６】
ここで、ＭＰＥＧストリームを、一旦半導体メモリに蓄えるのは、圧縮により生成されるＭＰＥＧストリームの生成速度が、記録媒体にＭＰＥＧストリームを記録する記録速度より大きくなる場合に、半導体メモリをバッファとして機能させ、記録をスムーズに行うためである。
【０００７】
しかし、半導体メモリは一定の最大容量をもち、最大容量以上のデータを蓄えることはできない。
【０００８】
そのため、ＭＰＥＧストリームの生成速度が、記録媒体に記録する速度よりはるかに大きい場合や、ＭＰＥＧストリームの生成速度が、記録媒体に記録する速度より大きい状態が長時間継続する場合には、バッファをオーバーフローしてしまい、新たに生成されるＭＰＥＧストリームを記憶せずに廃棄してしまう場合がある。
【０００９】
よって、バッファのオーバーフロー後に新たに生成されたＭＰＥＧストリームを、記録媒体に記録することができないという問題が生じる。
【００１０】
ＭＰＥＧストリームの生成速度が、記録媒体に記録する速度より大きい場合とは、例えば、以下のような場合が考えられる。
【００１１】
記録媒体としてディスクを用いる場合、映像音声記録装置をゆすったり振り回したりすることにより、ピックアップのトラッキングが外れ記録が中断することがある。
【００１２】
このように振動により記録が中断した状態では、記録媒体に記録する速度はゼロなので、ＭＰＥＧストリームの生成速度が、記録媒体に記録する速度より大きい状態が発生する。特に、ディスクを記録媒体に用いたビデオカメラなどようなポータブル機器では、機器への振動や加重が大きく、また頻繁に起こるため、問題が大きい。
【００１３】
あるいは、ディスクを記録媒体に用いたビデオカメラなどようなポータブル機器では、電源をバッテリとする必要があるので、長時間機器を使用するためには、消費電力が小さいことが望ましい。そのために、記録時には、バッファメモリにデータが十分蓄積されたときにだけ、ディスクドライブを駆動させディスクにアクセスし、バッファメモリにデータが十分蓄積されていないときは、ディスクドライブなどの駆動を止める、間欠駆動が行われる。
【００１４】
例えば、２５秒データを蓄積し、５秒記録を行うことを１サイクルとして繰り返す。
【００１５】
しかし、機器への振動などのために、ディスクにアクセスできず、記録を行うことができない場合がある。
【００１６】
このように、間欠駆動を行っている場合は、記録媒体に記録する速度がゼロの状態が長時間継続することが多いので、バッファのオーバーフローの問題が大きい。
【００１７】
また、バッファの最大容量までＭＰＥＧストリームを蓄積した場合、蓄積したＭＰＥＧストリームの末尾が、正常に再生可能なＭＰＥＧストリームの形式で終了しているとは限らない。すなわちビデオオブジェクトという形式で終了しているとは限らない。
【００１８】
例えば、バッファデータ末尾付近のＢピクチャを生成するために必要なＰピクチャが、バッファに含まれていない可能性があり、その場合はＭＰＥＧストリームを再生しても正常に再生されないという問題が生じる。
【発明の開示】
【発明が解決しようとする課題】
【００１９】
本発明は、上記した点に鑑みてなされたものであって、その目的とするところは、オーバーフローした時点でバッファメモリに残ったＭＰＥＧストリームを、記録媒体に記録する場合に、ビデオオブジェクト単位で記録を終了することにより、オーバーフローした場合にも、オーバーフローする直前までに入力した映像や音声を、連続的に再生可能な形で、記録媒体に記録することのできる映像音声記録装置を提供する事にある。
【００２０】
本発明のさらに他の目的は、オーバーフローにより、記録媒体に記録するＭＰＥＧストリームが時間的に不連続になった場合にも、記録媒体への記録が可能な状態に回復した後に、通常の記録を自動的に再開することにより、オーバーフローによる記録中断に気がつかず、記録ミスをしてしまう可能性を無くすことのできる映像音声記録装置を提供する事にある。
【００２１】
本発明のさらに他の目的は、オーバーフローした時点でバッファメモリに残ったＭＰＥＧストリームを、さらに高い圧縮率で再圧縮し、バッファの空き容量を増し、空いたバッファにＭＰＥＧストリームを記憶することにより、廃棄されるＭＰＥＧストリームの量を、少なく抑えることのできる映像音声記録装置を提供する事にある。
【００２２】
本発明のさらに他の目的は、バッファメモリの残量が一定値を下回ると、圧縮率を高くし、転送レートを減少させ、バッファ内のデータ増加速度を抑えることにより、バッファのオーバーフローを回避することのできる映像音声記録装置を提供する事にある。
【００２３】
本発明のさらに他の目的は、バッファメモリの残量が一定値を下回ると、段階的に圧縮率を高くすることにより、バッファのオーバーフローを回避し、かつ、急激な圧縮率上昇に伴う画質や音質の急変を回避することのできる映像音声記録装置を提供する事にある。
【００２４】
本発明のさらに他の目的は、バッファメモリの残量が一定値を下回ると圧縮率を高くし、転送レートを減少させ、その後、バッファメモリの残量が再び一定値を上回った場合、圧縮率を通常の圧縮率に戻し、転送レートを通常の転送レートに戻すことにより、バッファのオーバーフローを回避し、かつ、画質や音質が劣化した状態を、短時間に抑えることのできる映像音声記録装置を提供する事にある。
【００２５】
本発明のさらに他の目的は、バッファメモリの残量が一定値を下回ると圧縮率を高くし、転送レートを減少させ、その後、バッファメモリの残量が再び一定値を上回った場合、段階的に通常の圧縮率に戻し、転送レートを通常の転送レートに戻すことにより、バッファのオーバーフローを回避し、かつ、急激な圧縮率低下に伴う画質や音質の急変を回避することのできる映像音声記録装置を提供する事にある。
【課題を解決するための手段】
【００２６】
第１の本発明の映像音声記録装置は、映像音声入力手段と、変換手段と、圧縮手段と、記憶手段と、演算処理手段と、記録手段を備え、映像音声入力手段から入力された映像音声を、変換手段でデジタル信号に変換し、圧縮手段でデジタル信号を圧縮し、圧縮されたデジタル信号を記憶手段に蓄え、記憶手段に蓄えたデジタル信号を、記録手段で記録媒体に記録する映像音声記録装置において、記憶手段の最大記憶容量までデジタル信号を蓄えた場合に、ビデオオブジェクト単位で記録を終了するようになしたものである。
【００２７】
第２の本発明の映像音声記録装置は、第１の本発明の映像音声記録装置において、映像音声入力手段から映像音声が入力され続けており、かつ記憶手段の最大記憶容量までデジタル信号を蓄えた場合に、ビデオオブジェクト単位で記録を終了し、新しくビデオオブジェクトの記録を開始するようになしたものである。
【００２８】
第３の本発明の映像音声記録装置は、映像音声入力手段と、変換手段と、圧縮手段と、記憶手段と、演算処理手段と、記録手段を備え、映像音声入力手段から入力された映像音声を、変換手段でデジタル信号に変換し、圧縮手段でデジタル信号を圧縮し、圧縮されたデジタル信号を記憶手段に蓄え、記憶手段に蓄えたデジタル信号を、記録手段で記録媒体に間欠的に記録する映像音声記録装置において、記憶手段に蓄積したデジタル信号のデータ量が一定値を超えた場合に、圧縮手段の転送レートを減少させるようになしたものである。
【００２９】
第４の本発明の映像音声記録装置は、第３の本発明の映像音声記録装置において、記憶手段に蓄積したデジタル信号のデータ量が一定値を超えた場合に、圧縮手段の転送レートを段階的に減少させるようになしたものである。
【００３０】
第５の本発明の映像音声記録装置は、第３の本発明の映像音声記録装置において、記憶手段に蓄積したデジタル信号のデータ量が一定値を下回った場合に、圧縮手段の転送レートを増加させるようになしたものである。
【００３１】
第６の本発明の映像音声記録装置は、第３の本発明の映像音声記録装置において、記憶手段に蓄積したデジタル信号のデータ量が一定値を下回った場合に、圧縮手段の転送レートを段階的に増加させるようになしたものである。
【００３２】
第７の本発明の映像音声記録装置は、第３の本発明の映像音声記録装置において、記憶手段に蓄積したデジタル信号のデータ量が一定値を超えた場合に、記憶手段に蓄積された圧縮信号を読み出し、圧縮手段でさらに高い圧縮率で圧縮するようになしたものである。
【発明の効果】
【００３３】
本発明によれば、オーバーフローした時点でバッファメモリに残ったＭＰＥＧストリームを、記録媒体に記録する場合に、ビデオオブジェクト単位で記録を終了するようにしたので、オーバーフローした場合にも、オーバーフローする直前までに入力した映像や音声を、連続的に再生可能な形で、記録媒体に記録することができるという効果がある。
【００３４】
また、オーバーフローにより、記録媒体に記録するＭＰＥＧストリームが時間的に不連続になった場合にも、記録媒体への記録が可能な状態に回復した後に、通常の記録を自動的に再開するようにしたので、ユーザがオーバーフローによる記録中断に気がつかず、記録ミスをしてしまう可能性を無くすことができるという効果がある。
【００３５】
また、バッファメモリの残量が一定値を下回ると、圧縮率を高くし、転送レートを減少させ、バッファ内のデータ増加速度を抑えるようにしたので、バッファのオーバーフローを回避するという効果がある。
【００３６】
また、バッファメモリの残量が一定値を下回ると、段階的に圧縮率を高くし、段階的に転送レートを減少させるようにしたので、バッファのオーバーフローを回避し、かつ、急激な圧縮率上昇に伴う画質や音質の急変を回避することができるという効果がある。
【００３７】
また、バッファメモリの残量が一定値を下回ると圧縮率を高くし、転送レートを減少させ、その後、バッファメモリの残量が再び一定値を上回った場合、圧縮率を通常の圧縮率に戻し、転送レートを通常の転送レートに戻すようにしたので、バッファのオーバーフローを回避し、かつ、画質や音質が劣化した状態を、短時間に抑えることができるという効果がある。
【００３８】
また、バッファメモリの残量が一定値を下回ると圧縮率を高くし、転送レートを減少させ、その後、バッファメモリの残量が再び一定値を上回った場合、段階的に通常の圧縮率に戻し、段階的に通常の転送レートに戻すようにしたので、バッファのオーバーフローを回避し、かつ、急激な圧縮率低下に伴う画質や音質の急変を回避することができるという効果がある。
【００３９】
また、オーバーフローした時点でバッファメモリに残ったＭＰＥＧストリームを、さらに高い圧縮率で再圧縮し、バッファの空き容量を増し、空いたバッファにＭＰＥＧストリームを記憶するようにしたので、バッファに空き容量がないために廃棄されるＭＰＥＧストリームの量を、少なく抑えることができるという効果がある。
【発明を実施するための最良の形態】
【００４０】
以下、図面を用いて本発明の実施形態を詳細に説明する。
【００４１】
まず、図１および図２を用いて、本発明の第１の実施例を説明する。
【００４２】
図１は、本発明の第１の実施例の映像音声記録装置の基本構成を示した図である。
【００４３】
図１において、１００はマイクロフォンであり、１０１はＣＣＤであり、１０２はＡＤＣであり、１０３はＤＳＰであり、１０４はＣＯＤＥＣであり、１０５はＲＡＭであり、１０６はＣＰＵであり、１０７はディスクドライブ部である。
【００４４】
マイクロフォン１００は、音声を入力し電気信号に変換する。ＣＣＤ１０１は、映像を入力し電気信号に変換する。ＡＤＣ１０２は、入力されたアナログ電気信号をデジタル信号に変換して出力する。ＤＳＰ１０３は、入力されたアナログ電気信号を信号処理しデジタル信号に変換して出力する。ＣＯＤＥＣ１０４は、入力されたデジタル信号を信号圧縮処理し、圧縮したデータを出力する。また、圧縮処理の際に、以下で述べるＲＡＭ１０５にデータを蓄積する。ＲＡＭ１０５は、半導体メモリであり、データを蓄積する。ＣＰＵ１０６は、入力されたデータに対して演算処理を行い、演算した結果のデータを出力する。ディスクドライブ部１０７は、ピックアップやディスク駆動部を持ち、ＤＶＤ−ＲＡＭなどの記憶媒体にデジタルデータを記録する。
【００４５】
図２を用いて、通常の記録動作および、ＲＡＭ１０５がオーバーフローした場合の記録動作について説明する。
【００４６】
図２は、本発明の第１の実施例の映像音声記録装置において、記録時のＲＡＭ１０５のデータ量の推移（図２−１）およびＣＯＤＥＣ１０４がＲＡＭ１０５にデータを転送する転送レート（図２−２）を示した図である。
【００４７】
時間軸上に２ａから２ｈまでの時刻をとる。
【００４８】
２ｃまでは、通常の記録動作であり、２ａまでは記録媒体にデータを転送しないので、ＲＡＭ１０５にデータが蓄積される。２ａの時点でＲＡＭ１０５のデータ量がある一定の閾値に達し、ディスクへのデータ転送を開始する。２ａから２ｂの間でディスクドライブ部１０７が記録媒体にアクセスし、ＲＡＭ１０５からディスクにデータを転送し、記録を行う。そのためＲＡＭ１０５内のデータ量は、減少する。
【００４９】
２ｃ以降は振動が加わった場合の動作である。２ｂから２ｄまでは、２ａまでと同様であるが、２ｃ以降振動が加わるため、ディスクドライブ部１０７はディスクにアクセスできない。そのため、２ｃから２ｄの間でＲＡＭ１０５内のデータ量が、閾値を越える。２ｄの時点でＲＡＭ１０５のデータ量は最大値となり、以後、ＲＡＭ１０５へデータを入力できなくなり、ＣＯＤＥＣ１０４で生成されたデータは排気される。
【００５０】
２ｅで、振動が収まると、ディスクドライブ部１０７は記録媒体にアクセス可能となり、ＲＡＭ１０５からディスクにデータ転送し記録する。また同時に、ＲＡＭ１０５の容量に空きが出るので、ＲＡＭ１０５へのデータ入力が再開される。２ｆで記録がいったん終了し、以後通常の記録動作となる。
【００５１】
２ｄでバッファがオーバーフローすると、ＲＡＭ１０５に蓄積されたデータを編集し、ＶＯＢ（ビデオオブジェクト）とする。
【００５２】
すなわち、ＲＡＭ１０５に蓄積されたデータの末尾をＧＯＰ単位で切り、データを記録し、再生しても、正常に再生される形式にする。
【００５３】
次に、図１および図３および図４および図５を用いて、本発明の第２の実施例を説明する。
【００５４】
図１は、本発明の第２の実施例の映像音声記録装置の基本構成を示した図であり、本発明の第１の実施例の映像音声記録装置の基本構成と同じなので、説明は割愛する。
【００５５】
図３および図４および図５を用いて、ＲＡＭ１０５がオーバーフローしないように、転送レートを制御する動作を説明する。
【００５６】
図３は、本発明の第２の実施例の映像音声記録装置において、記録時のＲＡＭ１０５のデータ量の推移（図３−１）およびＣＯＤＥＣ１０４がＲＡＭ１０５にデータを転送する転送レート（図３−２）および動作状態（図３−３）を示した図である。
【００５７】
３ｂまでは、通常の記録動作である。
【００５８】
３ａ以降３ｂ以前から装置に振動が加わり、３ｆまで振動が継続する場合を考える。
【００５９】
この振動のため、３ｂでＲＡＭ１０５のデータ量が閾値に達しても、ディスクに記録できない。そこで、３ｂから３ｃ、３ｃから３ｄ、３ｄから３ｅ、３ｅ以降の４段階で、転送レートを通常の２０％ずつ減少させる。そのために、ＣＯＤＥＣ１０４は、圧縮率を段階的に増加させる。これにより、通常なら３Ｂで、データが不連続になってしまうところを、３Ｃまで延長できるという効果がある。また、段階的に転送レートを変化させることで、再生した映像の画質や音声の音質が急激に劣化し、その変化が気になることを、回避できるという効果がある。
【００６０】
３ｆで振動が収まると、ディスクドライブ部１０７は記録媒体にアクセス可能となり、ＲＡＭ１０５内のデータを記録再開する。そのためＲＡＭ１０５内のデータ量は減少する（３ｆから３ｇ）。
【００６１】
３ｇ以降は、３ｂから３ｆ以降とは逆に、３ｇから３ｈ、３ｈから３ｉ、３ｉから３ｊ、３ｊから３ｋの４段階で転送レートを通常の２０％ずつ増加させることで、徐々に再生画像音声の品位を通常レベルに戻す。これにより、転送レート減少時と同様な効果がある。
【００６２】
図４は、本発明の第２の実施例の映像音声記録装置において、ＲＡＭ１０５がオーバーフローしないように転送レートを制御する動作を示したフローチャートである。
【００６３】
通常の記録は、まずＲＡＭ１０５のデータ量Ｂが増加することからスタートする。Ｂが閾値Ｂｔを超えると（Ｓ４０１）、ディスクドライブ部１０７がディスクにアクセス可能かどうかを診断し（Ｓ４０２）、記録可能ならば、ＲＡＭ１０５のデータがなくなるまで（Ｓ４０４）、ＲＡＭ１０５からデータを転送し記録媒体に書き込み（Ｓ４０３）、書き込み終了後は、再びＲＡＭ１０５にデータを蓄積開始する。もし、記録不可能ならば（Ｓ４０２）、転送レートを変更する（Ｓ４０５）。そして、ＲＡＭ１０５のデータ量ＢがＲＡＭ１０５の最大データ容量Ｂｍを超えたら（Ｓ４０６）、ＲＡＭ１０５へのデータ入力は不可能となり、記録終了する。
【００６４】
図５は、本発明の第２の実施例の映像音声記録装置において、転送レートを減少させるアルゴリズムの一例を示したフローチャートである。
【００６５】
３ｂの時点を時刻Ｔ＝０とし、３ｃの時点をＴ＝Ｔ１、３ｄの時点をＴ＝Ｔ２、３ｅの時点をＴ＝Ｔ３とする。また、時刻Ｔにおける転送レートＲを、３ｂから３ｃの間をＲ＝Ｒ１、３ｃから３ｄの間をＲ＝Ｒ２、３ｄから３ｅの間をＲ＝Ｒ３、３ｅ以降をＲ＝Ｒ４とする。
【００６６】
Ｔ＞Ｔ３ならば（Ｓ５０１）、Ｒを変更しない。Ｔ＞Ｔ３でないならば（Ｓ５０１）、Ｔ＞Ｔ２かどうかを判定する。Ｔ＞Ｔ２ならば（Ｓ５０２）、ＲをＲ３に変更する（Ｓ５０４，Ｄ５０７）。Ｔ＞Ｔ２でないならば（Ｓ５０２）、Ｔ＞Ｔ１を判定する。Ｔ＞Ｔ１ならば（Ｓ５０３）、ＲをＲ２に変更する（Ｓ５０５，Ｄ５０８）。Ｔ＞Ｔ１でないならば（Ｓ５０３）、ＲをＲ１に変更する（Ｓ５０６，Ｄ５０９）。
【００６７】
なお、図には説明していないが、転送レートを４段階で変更する代わりに、直線的に変更する方法も考えられる。この場合、転送レートの変化による再生画像音声の品位変化がより滑らかとなり、変化が気にならないという効果がある。
【図面の簡単な説明】
【００６８】
【図１】本発明の第１の実施例に関わる映像音声記録装置の基本構成を示したブロック図である。
【図２】本発明の第１の実施例に関わる映像音声記録装置において、記録時のＲＡＭ１０５のデータ量の推移（図２−１）およびＣＯＤＥＣ１０４がＲＡＭ１０５にデータを転送する転送レート（図２−２）を示した図である。
【図３】本発明の第２の実施例に関わる映像音声記録装置において、記録時のＲＡＭ１０５のデータ量の推移（図３−１）およびＣＯＤＥＣ１０４がＲＡＭ１０５にデータを転送する転送レート（図３−２）および動作状態（図３−３）を示した図である。
【図４】本発明の第２の実施例に関わる映像音声記録装置において、ＲＡＭ１０５がオーバーフローしないように転送レートを制御する動作を示したフローチャートである。
【図５】本発明の第２の実施例に関わる映像音声記録装置において、転送レートを変更するアルゴリズムの一例を示したフローチャートである。
【符号の説明】
【００６９】
１００…マイクロフォン、１０１…ＣＣＤ、１０２…ＡＤＣ、１０３…ＤＳＰ、１０４…ＣＯＤＥＣ、１０５…ＲＡＭ、１０６…ＣＰＵ、１０７…ディスクドライブ部
【図１】
2006221794.tif 000003
【図２】
2006221794.tif 000004
【図３】
2006221794.tif 000005
【図４】
2006221794.tif 000006
【図５】
2006221794.tif 000007
【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
デジタルデータ記録装置であって、
デジタル信号を入力する信号入力部と、
前記信号入力部で入力したデジタル信号を圧縮する圧縮部と、
前記圧縮部で圧縮された圧縮デジタル信号を記憶する記憶部と、
前記記憶部に記憶した圧縮デジタル信号を記録媒体に間欠的に記録する記録手段と、
前記信号入力部でデジタル信号を入力し続けており且つ前記記憶部の所定容量まで圧縮デジタル信号が記憶された場合には、当該圧縮デジタル信号の前記記憶部への記憶を抑制し且つ当該圧縮デジタル信号を再生できる単位とする処理部とを有する。
【請求項２】
請求項１に記載のデジタルデータ記録装置であって、
前記圧縮デジタル信号を再生できる単位はＧＯＰである。
【請求項３】
請求項１に記載のデジタルデータ記録装置であって、
前記圧縮部はＭＰＥＧで圧縮し、
前記圧縮デジタル信号を再生できる単位はビデオオブジェクトユニットである。
【請求項４】
請求項１に記載のデジタルデータ記録装置であって、
前記記録部は、ピックアップ及びディスク駆動部を含む。
【請求項５】
請求項１に記載のデジタルデータ記録装置であって、
前記信号入力部は撮像素子を含む。
【請求項６】
請求項１に記載のデジタルデータ記憶装置であって、
前記信号入力部はマイクを含む。
【請求項７】
請求項１に記載のデジタルデータ記録装置であって、
前記圧縮デジタル信号の記録の終了後、前記記憶手段から前記記録手段によって記録媒体に前記圧縮デジタル信号の記録がされた場合には、前記記憶手段への前記圧縮デジタル信号の蓄えを再開する。
【手続補正２】
【補正対象書類名】明細書
【補正対象項目名】００１９
【補正方法】変更
【補正の内容】
【００１９】
本発明の目的は例えば、オーバーフローした場合にも、オーバーフローする直前までに入力した映像や音声を、連続的に再生可能な形で、記録媒体に記録することのできる技術を提供することにある。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】変更
【補正の内容】
【００２６】
上記課題を解決するために、例えば、特許請求の範囲に記載した技術を提供する。
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】変更
【補正の内容】
【００３３】
本発明によれば、例えばオーバーフローした場合にも、オーバーフローする直前までに入力した映像や音声を、連続的に再生可能な形で、記録媒体に記録することができる。
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４９
【補正方法】変更
【補正の内容】
【００４９】
２ｃ以降は振動が加わった場合の動作である。２ｂから２ｄまでは、２ａまでと同様であるが、２ｃ以降振動が加わるため、ディスクドライブ部１０７はディスクにアクセスできない。そのため、２ｃから２ｄの間でＲＡＭ１０５内のデータ量が、閾値を越える。２ｄの時点でＲＡＭ１０５のデータ量は最大値となり、以後、ＲＡＭ１０５へデータを入力できなくなり、ＣＯＤＥＣ１０４で生成されたデータは廃棄される。